(57)【要約】【課題】ＡＴＣＡ規格ボードの把手固定構造を提供する。【解決手段】ＡＴＣＡ規格ボードの把手固定構造であって、基板上にはハードウェアシステムを予め備えたホスト基板を設置してなり、基板の片側にはI/O面板を設け、I/O面板上には複数の異なる規格の接続孔及び位置を固定する固定孔を設け、基板のI/O面板付近には回転軸を設け、把手の軸部は基板の回転軸上に固定され旋転状態を形成してなり、軸部の片側には可動部を設け、可動部はI/O面板の外側に位置し、可動部と軸部との間には嵌合部が設けられ、固定弾性部材は基板上に設置され、I/O面板の固定孔内側に近接し、固定弾性部材は平らな基部を具有し、基部の両側は湾曲した側面板を備え、各側面板の末端は反対方向に湾曲し保持部を備え、保持部はI/O面板の固定孔に対応し、把手の嵌合部をI/O面板の固定孔内に挿入し、固定弾性部材の保持部と固定状態を保持する。【選択図】  図１
0003122956.tif 000002
【実用新案登録請求の範囲】
【請求項１】
基板、把手及び固定弾性部材より構成され、
前記基板上にはハードウェアシステムを予め備えたホスト基板を設置してなり、基板の片側にはI/O面板を設けてなり、I/O面板上には複数の異なる規格の接続孔及び位置を固定する固定孔を設けてなり、基板のI/O面板付近には回転軸を設けてなり、把手の軸部は基板の回転軸上に固定され旋転状態を形成してなり、軸部の片側には可動部を設けてなり、可動部はI/O面板の外側に位置してなり、可動部と軸部との間には嵌合部が設けられてなり、
前記固定弾性部材は基板上に設置されてなり、I/O面板の固定孔内側に近接してなり、固定弾性部材は平らな基部を具有してなり、基部の両側は湾曲した側面板を備えてなり、各側面板の末端は反対方向に湾曲し保持部を備えてなり、保持部はI/O面板の固定孔に対応してなり、把手の嵌合部をI/O面板の固定孔内に挿入し、固定弾性部材の保持部と固定状態を保持してなることを特徴とした、
ＡＴＣＡ規格ボードの把手固定構造。
【請求項２】
前記把手の可動部から離れる側にはシャーシ側辺に引っ掛けるスナップ部が設けられてなることを特徴とした、請求項１に記載のＡＴＣＡ規格ボードの把手固定構造。
【請求項３】
前記把手のスナップ部の端面は更に基板上に対応して設けられるセンサースイッチに押圧することができ、センサースイッチが押圧された時に基板に固定されたことを通知することができることを特徴とした、請求項１に記載のＡＴＣＡ規格ボードの把手固定構造。
【請求項４】
前記固定弾性部材は保持部から離れる側に固定部を設けてなり、固定部上はI/O面板上に固定させることを可能とする固定孔を具有してなることを特徴とした、請求項１に記載のＡＴＣＡ規格ボードの把手固定構造。
【考案の詳細な説明】
【技術分野】
【０００１】
本考案はＡＴＣＡ（Advanced Telecom Computing Architecture）規格ボードの把手固定構造に関してなり、特にＡＴＣＡ規格ボードの把手を緊密に固定し、ボード連接状態を正常に維持する固定構造に関する。
【背景技術】
【０００２】
現在、多くの企業は比較的低コストな小型のサーバーを利用しネットワーク環境の需要に対応してなり、更に経済効果を向上させる為、ブレードサーバーの利用へと発展している。「ブレードサーバー」は、ＣＰＵ、メモリー、ＨＤＤ等サーバーシステムにおけるハードウェアを単一のホスト基板上に整合してなり、一体一体がシャーシ内に挿入固定される構造で、「ブレード」或いは「ブレードサーバーモジュール」と称される。
【０００３】
一つのブレードサーバーシャーシ内には、数十体或いは更に多くのブレードサーバーモジュールを収納することができ、一体のブレードサーバーは一台のサーバー機に相当し、サーバーシャーシ、モニター、キーボード、電源ユニット等の資源を共用してなり、大型のデータ処理の目的を達成する。
更に、サーバーシャーシ内には内部データベースに相関する情報を提供する知能システムを設けてなり、知能システムはブレードサーバーモジュールデータのネットワーク化、特定動作、或いはブレードサーバーモジュール上で実行するアプリケーションの分離を可能とし、サーバーシャーシ内のブレードサーバーモジュール全てに可動性を備えさせてなる。
【０００４】
ブレードサーバーの注目すべき点は、その高度な信頼性と拡張性であり、各ブレードサーバーモジュールがリカバリ機能を備えてなり、シャーシはブレードサーバーモジュールとシステム部材のホットスワップを支援し、更に高度な可用性を提供することができ、一台のブレードサーバーモジュールが動作不能になり保守作業の為中断が必要な場合に、他のブレードサーバーモジュールにより置き換えが可能であり、或いは処理能力を向上させたい場合には、更に多くのブレードサーバーモジュールを挿入するか、内部の資源を必要に応じて高性能にすることが可能である。
【０００５】
ブレードサーバーは、ホットスワップの機能を提供し、比較的頻繁にスワップ動作を実施することができ、一般的な方法は、シャーシ内にブレードサーバーモジュールを挿入可能な収容空間を設けてなり、収容空間の両側には対応するガイドレールを設けてなり、ブレードサーバーモジュールをスライドして収容空間の入り口より嵌入し、ガイドレールにそってスライドさせ収容空間内に固定してなり、その後、ブレードサーバーモジュールの面板両側の螺子をシャーシ両側の螺子孔に螺合し、ブレードサーバーモジュールをシャーシ内に固定する目的を達成する。
更に、ブレードサーバーモジュールとシャーシとが正常に連接されているかを確認する為、通常はブレードサーバーの面板側辺に把手を設置してなり、図１０に示すように、把手ＡをブレードサーバーＢの面板Ｂ１側辺に設置し、ブレードサーバーＢはシャーシＣ内に嵌入する時、把手Ａを旋転し、把手Ａのスナップ部Ａ１をシャーシＣの対応する側辺Ｃ１にスナップさせ、スナップ部Ａ１の端面を面板Ｂ１内側のセンサースイッチＢ２に接触させ、このように、ブレードサーバーモジュールＢの連接固定をシステムに通知し、把手Ａ他側の嵌合部Ａ２は面板Ｂ１の固定孔Ｂ１１内に進入してなり、面板Ｂ１の固定孔Ｂ１１内には弾性部材Ｂ３が設けられてなるが、把手Ａの嵌合部Ａ２が固定孔Ｂ１１に進入し弾性部材Ｂ３と嵌合される時、弾性部材Ｂ３と把手Ａの嵌合部Ａ２は片側の接触を形成し易く、使用回数が増加した場合に弾性部材Ｂ３の変形、損壊、或いは弾性力の欠乏が発生し易く、相対して使用寿命の低下を起こし、更には弾性部材Ｂ３は把手Ａの嵌合部Ａ２を強固に固定することができなくなり、把手Ａの嵌合が不十分になると、人為的な接触により、把手Ａのスナップ部Ａ１はセンサースイッチＢ２から離脱し易くなり、動作中のブレードサーバーＢの電源停止、ブレードサーバーＢの異常終了、更にはデータの損壊を引き起こす要因となる。
【０００６】
したがって、如何にしてブレードサーバーモジュールが把手を経由しサーバーシャーシ内により堅固な固定を提供するか、如何にしてブレードサーバーモジュールとシャーシの正常な連接の確保するかが、関連メーカーの重大な研究改善目標となっていた。
【特許文献１】特開平１１−４６０７９号公報
【考案の開示】
【考案が解決しようとする課題】
【０００７】
本考案は、上述した問題点に鑑みてなされたもので、固定弾性部材を基板のI/O面板内側に設置し、固定弾性部材の基部の両側に湾曲する側面板の末端は反対方向に湾曲する保持部を設けてなり、全体的に保持する力も強く受ける力も均等であり、更に把手の嵌合部の両側は両辺を支持し接触状態を形成してなり、把手の嵌合部は保持部より離脱し難くなり、固定弾性部材が頻繁な嵌合動作或いは不当な衝突によって弾性力が欠乏して変形或いは損壊等が発生することを防止し、長期の使用においても断裂を起こし難く、基板が常に正常に連接状態を保持し全体的な使用寿命及び耐久性を向上し把手の嵌合部が離脱しブレードサーバーモジュールが予期せぬシャットダウン、更にはデータの損壊の発生を防止することを課題とする。
【課題を解決するための手段】
【０００８】
本考案のＡＴＣＡ規格ボードの把手固定構造は、基板上にはハードウェアシステムを予め備えたホスト基板を設置してなり、基板の片側にはI/O面板を設けてなり、I/O面板上には複数の異なる規格の接続孔及び位置を固定する固定孔を設けてなり、基板のI/O面板付近には回転軸を設けてなり、把手の軸部は基板の回転軸上に固定され旋転状態を形成してなり、軸部の片側には可動部を設けてなり、可動部はI/O面板の外側に位置してなり、可動部と軸部との間には嵌合部が設けられてなり、固定弾性部材は基板上に設置されてなり、I/O面板の固定孔内側に近接してなり、固定弾性部材は平らな基部を具有してなり、基部の両側は湾曲した側面板を備えてなり、各側面板の末端は反対方向に湾曲し保持部を備えてなり、保持部はI/O面板の固定孔に対応してなり、把手の嵌合部をI/O面板の固定孔内に挿入し、固定弾性部材の保持部と固定状態を保持してなる。
【０００９】
すなわち、上記の課題を解決するために、請求項１の考案は、基板、把手及び固定弾性部材より構成され、前記基板上にはハードウェアシステムを予め備えたホスト基板を設置してなり、基板の片側にはI/O面板を設けてなり、I/O面板上には複数の異なる規格の接続孔及び位置を固定する固定孔を設けてなり、基板のI/O面板付近には回転軸を設けてなり、把手の軸部は基板の回転軸上に固定され旋転状態を形成してなり、軸部の片側には可動部を設けてなり、可動部はI/O面板の外側に位置してなり、可動部と軸部との間には嵌合部が設けられてなり、前記固定弾性部材は基板上に設置されてなり、I/O面板の固定孔内側に近接してなり、固定弾性部材は平らな基部を具有してなり、基部の両側は湾曲した側面板を備えてなり、各側面板の末端は反対方向に湾曲し保持部を備えてなり、保持部はI/O面板の固定孔に対応してなり、把手の嵌合部をI/O面板の固定孔内に挿入し、固定弾性部材の保持部と固定状態を保持してなることを特徴としたＡＴＣＡ規格ボードの把手固定構造である。
【００１０】
請求項２の考案は、前記把手の可動部から離れる側にはシャーシ側辺に引っ掛けるスナップ部が設けられてなることを特徴とした、請求項１に記載のＡＴＣＡ規格ボードの把手固定構造である。
請求項３の考案は、前記把手のスナップ部の端面は更に基板上に対応して設けられるセンサースイッチに押圧することができ、センサースイッチが押圧された時に基板に固定されたことを通知することができることを特徴とした、請求項１に記載のＡＴＣＡ規格ボードの把手固定構造である。
請求項４の考案は、前記固定弾性部材は保持部から離れる側に固定部を設けてなり、固定部上はI/O面板上に固定させることを可能とする固定孔を具有してなることを特徴とした、請求項１に記載のＡＴＣＡ規格ボードの把手固定構造である。
【考案の効果】
【００１１】
本考案によれば、下記（１）（２）のような効果を奏する。
（１）本考案の固定弾性部材の保持部は転折状に形成され、全体を保持する力が大きく、把手の嵌合部を緊密に保持することができ、把手の嵌合部は保持部より離脱し難く、長期の使用後も断裂し難く、基板が常に正常な連接状態を維持し全体的な使用寿命及び耐久性を向上することが可能となる。
（２）本考案の固定弾性部材の保持部は、把手の嵌合部の両側にて両辺を支える接触状態を形成し、全体の保持力により受ける力も均等になり、保持部が頻繁な嵌合動作或いは不当な衝突により固定弾性部材に弾性力の欠乏、変形、損壊が発生することを防止し、固定弾性部材が把手の嵌合部を確実に固定し、揺動、離脱の発生を防ぎ、把手の嵌合部の離脱によりブレードサーバーモジュールの非常停止、データの損壊が発生することを防止する。
【考案を実施するための最良の形態】
【００１２】
上述の目的及び効果を達成する為、本考案が採用する技術的手段及びの構造は、図及び実施例を利用し以下に詳細に説明する。
図１，２，３，に示すように、本考案のＡＴＣＡ（Advanced Telecom Computing Architecture）ボードの把手固定構造は基板１、把手２及び固定弾性部材３より構成される。
基板１上はホスト基板を予め載置固定しなり、基板１の片側には直立させたI/O面板１１を設けてなり、I/O面板１１上には複数の異なる規格の接続孔１１１及び位置を特定された固定孔１１２が設けられてなり、基板１のI/O面板１１付近には回転軸１２及びセンサースイッチ１３を設けてなる。
【００１３】
把手２の軸部２１は基板１の回転軸１２上に回転状態を固定してなり、軸部２１の片側には可動部２２を設けてなり、可動部２２と軸部２１との間には嵌合部２３が延伸して設けられてなり、嵌合部２３には首部２３１及び首部２３１の末端に形成される頭部２３２を具有してなり、頭部２３２の寸法は首部２３１の寸法より大きく形成されてなり、可動部２２から離れる他側にはスナップ部２４が設けられてなる。
【００１４】
定位弾性部材３はステンレス或いはその他の金属材料より製成され、定位弾性部材３は基板１上に設置されてなり、I/O面板１１付近の固定孔１１２内側は、平らな基部３１を具有してなり、基部３１の両側には湾曲した側面板３２が設けられてなり、保持部３３から離れる他側には固定部３４が設けられてなり、固定部３４上はI/O面板１１上に固定させることができる固定孔３４１を具有してなる。
【００１５】
上述の部材を組み立て時、まず固定弾性部材３を基板１のI/O面板１１内側に固定し、固定弾性部材３の保持部３３はI/O面板１１の固定孔１１２に固定し、把手２の軸部２１を基板１の回転軸１２上に固定し、把手２の可動部２２を弾動可能にし、把手２をI/O面板１１の片側にて旋転可能にし、このようにして、本考案の全体の組み立てを完成する。
【００１６】
続いて、図１，４,６，８に示すように、一般的なブレードサーバーモジュールは基板１上にハードウェアを備えるホスト基板を具有してなり、基板１はシャーシ４内に固定される時、把手２の可動部２２を弾動させることができ、把手２を基板１上にて旋転させ、把手２が旋転時に片側のスナップ２４を利用しシャーシ４に対応する側辺４１に引っ掛けてなり、スナップ部２４の端面はセンサースイッチ１３を押圧し、ブレードサーバーモジュールが連接固定されていることをシステムに通知した後、ブレードサーバーモジュールは正常電源供給及び動作され、把手２の他側の嵌合部２３はI/O面板１１の固定孔１１２内に進入し（図４，５参照）、この時、把手２の嵌合部２３の頭部２３２は固定弾性部材３の保持部３３上に押えられ、頭部２３２は保持部３３を押し相対して弾性変形を形成し（図６，７参照）、頭部２３２は保持部の端面の移動に従い固定され、保持部３３の弾性力によって嵌合部２３の首部２３１を緊密に保持し、保持部３３の両辺に保持効果を形成し（図８，９参照）、把手２の使用回数が増加した後に、固定弾性部材３が緊密に固定する効果を保持し離脱し難くしてなり、使用寿命の増加と使用時の便利性の向上を達成することができる。
【００１７】
上述の本考案の実施例は、実際の使用時に公知の問題点を以下のように解決している。
（１）固定弾性部材３の保持部３３は転折状に形成されてなり、全体を保持する力が大きく、把手２の嵌合部２３を緊密に保持することができ、把手２の嵌合部２３は保持部３３より離脱し難く、長期の使用後も断裂し難く、基板１が常に正常な連接状態を維持し全体的な使用寿命及び耐久性を向上することを可能としてなる。
（２）本考案の固定弾性部材３の保持部３３は把手２の嵌合部２３の両側にて両辺を支える接触状態を形成し、全体の保持力により受ける力も均等になり、保持部３３が頻繁な嵌合動作或いは不当な衝突により固定弾性部材に弾性力の欠乏、変形、損壊が発生することを防止し、固定弾性部材３が把手２の嵌合部２３を確実に固定し、揺動、離脱の発生を防ぎ、把手２の嵌合部２３の離脱によりブレードサーバーモジュールの非常停止、データの損壊が発生することを防止する。
【００１８】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができる。
【図面の簡単な説明】
【００１９】
【図１】本考案の実施例の立体分解図である。
【図２】本考案の実施例の立体外観図である。
【図３】本考案の実施例の固定弾性部材の外観図である。
【図４】本考案の実施例の使用前の説明図である。
【図５】本考案の実施例の使用前の拡大図である。
【図６】本考案の実施例の使用時の説明図である。
【図７】本考案の実施例の使用時の拡大図である。
【図８】本考案の実施例の使用後の説明図である。
【図９】本考案の実施例の使用後の拡大図である。
【図１０】公知の説明図である。
【符号の説明】
【００２０】
１ 基板
１１ I/O面板
１１１ 接続孔
１１２ 固定孔
１２ 回転軸
１３ センサースイッチ
２ 把手
２１ 軸部
２２ 可動部
２３ 嵌合部
２３１ 首部
２３２ 頭部
２４ スナップ部
３ 固定弾性部材
３１ 基部
３２ 側面板
３３ 保持部
３４ 固定部
３４１ 固定孔
４ シャーシ
４１ 側辺
Ａ 把手
Ａ１ スナップ部
Ａ２ 嵌合部
Ｂ ブレードサーバー部材
Ｂ１ 面板
Ｂ１１ 固定孔
Ｂ２ センサースイッチ
Ｂ３ 弾性部材
Ｃ シャーシ
Ｃ１ 側辺
【図１】
0003122956.tif 000003
【図２】
0003122956.tif 000004
【図３】
0003122956.tif 000005
【図４】
0003122956.tif 000006
【図５】
0003122956.tif 000007
【図６】
0003122956.tif 000008
【図７】
0003122956.tif 000009
【図８】
0003122956.tif 000010
【図９】
0003122956.tif 000011
【図１０】
0003122956.tif 000012